(57)【要約】      （修正有）【課題】切断機構を効率よく回収することができる切断装置を提供する。【解決手段】被加工物ＡＳを切断可能な切断機構１０と、切断機構１０を支持する支持機構２０と、切断機構１０を支持した支持機構２０を移動させて被加工物ＡＳを所定形状に切断する駆動機構３０と、所定の位置で支持機構２０の支持を解除することで、当該支持機構２０の支持を失って落下する切断機構１０を回収する回収機構６０とを備え、回収機構６０は、落下する切断機構１０の姿勢を変位させる姿勢変位機構を備えている。【選択図】図１
0003231918.tif 000002
【実用新案登録請求の範囲】
【請求項１】
被加工物を切断可能な切断機構と、
前記切断機構を支持する支持機構と、
前記切断機構を支持した前記支持機構を移動させて前記被加工物を所定形状に切断する駆動機構と、
所定の位置で前記支持機構の支持を解除することで、当該支持機構の支持を失って落下する前記切断機構を回収する回収機構とを備え、
前記回収機構は、落下する前記切断機構の姿勢を変位させる姿勢変位機構を備えていることを特徴とする切断装置。
【考案の詳細な説明】
【技術分野】
【０００１】
本考案は、切断装置に関する。
【背景技術】
【０００２】
従来、切断手段を支持した支持手段を駆動手段で移動させ、被加工物を切断する切断装置において、当該切断手段の着脱を自動で行うものが知られている（例えば、特許文献１参照）。
【先行技術文献】
【特許文献】
【０００３】
【特許文献１】特開２０１８−５８１５３号公報
【考案の概要】
【考案が解決しようとする課題】
【０００４】
しかしながら、特許文献１に記載された従来の切断装置１０では、カッター刃２０（切断機構）が縦姿勢で回収箱７１（回収機構）に落下するため、落下した切断機構が回収機構で先に回収されている切断機構群の隙間に突き刺さり、横倒し姿勢にならない場合がある。このような場合、回収した切断機構の満杯センサが回収機構に設けられていると、当該回収機構に回収容量が残っているにも拘わらず、満杯になったと誤認識してしまったり、横倒しにならなかった切断機構が本体フレーム５１に引っ掛かり、回収箱７１を本体フレーム５１から引き出せなくなったりする等の不都合が生じ、切断機構を効率よく回収できなくなる。
【０００５】
本考案の目的は、切断機構を効率よく回収することができる切断装置を提供することにある。
【課題を解決するための手段】
【０００６】
本考案は、請求項に記載した構成を採用した。
【考案の効果】
【０００７】
本考案によれば、落下する切断機構の姿勢を変位させるので、切断機構が縦姿勢で落下するような場合があっても、当該切断機構を積極的に横倒し姿勢にして回収機構で回収することができ、切断機構を効率よく回収することができる。
【０００８】
なお、本考案における切断とは、被加工物を貫通する切込が連続的に続くことで当該被加工物が部分的に繋がることのない状態の完全な切断（以下、単に「完全な切断」という）だけではなく、例えば、被加工物を貫通する切込が断続的に続くことで当該被加工物が部分的に繋がった状態の擬似的な切断（以下、単に「擬似的な切断」という）、被加工物を貫通することのない切込が連続的または断続的に続く擬似的な切断、被加工物にレーザ光、電磁波、熱、薬品、化学物質等を付与して当該被加工物の特性、特質、性質、材質、組成、構成、寸法等を変更して脆弱化させた脆弱部が連続的または断続的に続く擬似的な切断および、被加工物を貫通する切込と当該被加工物を貫通することのない切込と脆弱部との少なくとも２つが規則的または不規則的に続く擬似的な切断等をも含むものとする。なお、上記の擬似的な切断は、振動、張力、光、熱等の外力が加わることで、完全な切断となる。
【図面の簡単な説明】
【０００９】
【図１】本考案の一実施形態に係る切断装置の概略斜視図。
【図２】切断装置の動作説明図。
【図３】本考案の変形例の説明図。
【考案を実施するための形態】
【００１０】
以下、本考案の一実施形態を図面に基づいて説明する。
なお、本実施形態におけるＸ軸、Ｙ軸、Ｚ軸は、それぞれが直交する関係にあり、Ｘ軸およびＹ軸は、所定平面内の軸とし、Ｚ軸は、前記所定平面に直交する軸とする。さらに、本実施形態では、図１に示すＹ軸と平行な矢印ＢＤ方向から観た場合を基準とし、図を指定することなく方向を示した場合、「上」がＺ軸の矢印方向で「下」がその逆方向、「左」がＸ軸の矢印方向で「右」がその逆方向、「前」がＹ軸の矢印方向で「後」がその逆方向とする。
【００１１】
本考案の切断装置ＥＡは、被加工物としての接着シートＡＳを切断可能な切断機構としてのカッター刃１０と、カッター刃１０を支持する支持機構２０と、カッター刃１０を支持した支持機構２０を移動させて接着シートＡＳを所定形状に切断する駆動機構３０と、調整部材２５が回転することを抑制する移動規制機構４０と、支持機構２０に取付けるカッター刃１０を供給する供給機構５０と、所定の位置で支持機構２０の支持を解除することで、当該支持機構２０の支持を失って落下するカッター刃１０を回収する回収機構６０とを備え、被着体ＷＫに接着シートＡＳが貼付された一体物ＷＫ１を支持する被加工物支持機構７０および、カッター刃１０の状態を検知するカッター刃検知機構８０の近傍に配置されている。
【００１２】
支持機構２０は、駆動機構３０との接続を許容する嵌合穴２１Ａが形成された嵌合部材２１と、嵌合部材２１にブラケット２２を介して支持され、外面に雄ねじ２３Ａが形成された基台２３と、基台２３の下面に弾性変形可能な弾性変形部２４Ａによって相互に離間するように支持され、カッター刃１０を把持する把持部材２４と、雄ねじ２３Ａに螺合する雌ねじ２５Ａが形成され、所定動作として把持部材２４に対して相対的に回転させることで、当該把持部材２４をカッター刃１０に離間接近させ、カッター刃１０の取付けおよび取外しが可能な断面形状６角形の外縁形状を有する調整部材２５とを備えている。把持部材２４は、その外面の一部に傾斜部２４Ｂが形成され、調整部材２５が雄ねじ２３Ａに沿って回転することで、調整部材２５の内円端部２５Ｂが傾斜部２４Ｂ上を摺動し、弾性変形部２４Ａの弾性復元力を利用して把持部材２４同士が離間接近する構成となっている。なお、双方の把持部材２４におけるカッター刃１０を挟み込むそれぞれの挟込面２４Ｃには、カッター刃１０が嵌り込み、当該カッター刃１０の位置決めが可能な溝２４Ｄが形成されている。また、調整部材２５の上方には、平面視（Ｚ軸方向上側から見て）円形の張出部２５Ｃが設けられている。
【００１３】
駆動機構３０は、複数のアームによって構成され、その作業範囲内において、作業部である先端アーム３１Ａで支持したものを何れの位置、何れの角度にでも変位可能な駆動機器としての所謂多関節ロボット３１を備え、先端アーム３１Ａで支持機構２０を支持した状態で調整部材２５を把持部材２４に対して相対的に回転させ、支持機構２０へカッター刃１０を取付ける動作および、支持機構２０からカッター刃１０を取外す動作の両方の動作を行うようになっている。なお、先端アーム３１Ａの先端部には、嵌合穴２１Ａに嵌り込んで当該先端アーム３１Ａに対する支持機構２０の移動を規制するチャック３１Ｂを駆動する駆動機器としてのチャックモータ３１Ｃが設けられている。これにより、駆動機構３０は、調整部材２５と共に回転しないように把持部材２４を支持した状態で、調整部材２５を把持部材２４に対して相対的に回転させることができるようになっている。
【００１４】
移動規制機構４０は、本体フレーム４１と、本体フレーム４１の上面に形成され、支持機構２０へカッター刃１０を取付ける際、調整部材２５が嵌合して当該調整部材２５の回転を抑制可能な平面視６角形の内縁形状を有する２つの取付け嵌合孔４２と、本体フレーム４１の上面に形成され、支持機構２０からカッター刃１０を取外す際、調整部材２５が嵌合して当該調整部材２５の回転を抑制可能な平面視６角形の内縁形状を有する１つの取外し嵌合孔４３とを備えている。
【００１５】
供給機構５０は、取手５１Ａが設けられ、本体フレーム４１の右側面に形成された第１開口部４１Ａを介して取付け嵌合孔４２の下方に出し入れ可能な供給フレーム５１と、供給フレーム５１に形成された平面視円形の凹部５１Ｂの底面に支持された付勢機構５２と、付勢機構５２の支持テーブル５２Ａに支持されて凹部５１Ｂの側面を摺動回転可能な刃支持部材５３と、刃支持部材５３の上面に形成された凹部５３Ａから更に凹んでカッター刃１０を位置決めして収容可能なカッター刃支持穴５３Ｂと、刃支持部材５３の下面に支持された当板５４と、凹部５１Ｂの底面に支持され、当板５４が当接することで付勢機構５２によって回転する刃支持部材５３の回転を規制するストッパ５５とを備えている。供給フレーム５１は、第１開口部４１Ａから突き当る位置にまで差し込まれると、カッター刃支持穴５３Ｂにセットされたカッター刃１０が取付け嵌合孔４２の直下である所定の位置に、所定の方向を向いて配置されるようになっている。なお、カッター刃支持穴５３Ｂは、カッター刃１０の４つの側面または、カッター刃１０の３つの側面と刃先１０Ｂを形成する面とが摺動して挿入されることで、当該カッター刃１０の前後方向と左右方向との位置決めが可能となっている。また、カッター刃支持穴５３Ｂの最下部には、カッター刃１０の切先１０Ａを検出するカメラや投影機等の撮像機構や、光学センサや超音波センサ等の各種センサ等で構成された図示しない切先検知機構が配置され、当該図示しない切先検知機構によって、カッター刃１０の上下方向の位置決めが完了していることを検知できるようになっている。
【００１６】
回収機構６０は、取手６１Ａが設けられ、本体フレーム４１の左側面に形成された第２開口部４１Ｂを介して取外し嵌合孔４３の下方に出し入れ可能な回収箱６１と、本体フレーム４１の内部に支持され、落下するカッター刃１０の姿勢を変位させる姿勢変位機構としての姿勢変位ローラ６２を備えている。
【００１７】
被加工物支持機構７０は、減圧ポンプや真空エジェクタ等の図示しない減圧機構（保持機構）によって被着体ＷＫを支持可能な支持面７１Ａと、接着シートＡＳを貫通したカッター刃１０を受容する溝７１Ｂとを備えた支持テーブル７１を備えている。
【００１８】
カッター刃検知機構８０は、カメラや投影機等の撮像機構や、光学センサや超音波センサ等の各種センサ等で構成され、カッター刃１０の切先１０Ａの位置や刃先１０Ｂの位置等を検知するとともに、カッター刃１０の欠け、傷、曲がり、折れ等の変形や、カッター刃１０の錆、腐食等による劣化や、カッター刃１０に対する接着剤、その他物質等の異物の付着等が発生していることを検出できるようになっている。
【００１９】
以上の切断装置ＥＡの動作を説明する。
先ず、本考案の切断装置ＥＡの使用者（以下、単に「使用者」という）が取手５１Ａを持って供給フレーム５１を本体フレーム４１から引き出し、２体のカッター刃１０をそれぞれ各カッター刃支持穴５３Ｂにセットした後、当該供給フレーム５１を第１開口部４１Ａから突き当る位置にまで差し込んだ後、操作パネルやパーソナルコンピュータ等の図示しない操作機構を介して自動運転開始の信号を入力する。すると、駆動機構３０が多関節ロボット３１を駆動し、カッター刃１０が取り付けられ、図示しない所定の格納位置に格納されている支持機構２０の嵌合穴２１Ａにチャック３１Ｂを差し込んだ後、チャックモータ３１Ｃを駆動し、チャック３１Ｂを相互に離間させて当該支持機構２０を先端アーム３１Ａで保持する。次いで、駆動機構３０が多関節ロボット３１を駆動し、図１中二点鎖線で示すように、カッター刃検知機構８０の検出位置にカッター刃１０を配置し、切先１０Ａの位置と刃先１０Ｂの位置とを認識した状態で停止してスタンバイ状態となる（以下、この状態を単に「スタンバイ状態」という）。なお、駆動機構３０は、カッター刃検知機構８０の検知結果を基にして、次に切断の対象となる接着シートＡＳに対し、切先１０Ａを突き刺す位置や刃先１０Ｂで切断する軌道等が所定の位置、所定の軌道等となるように多関節ロボット３１の動作を自動で補正するようになっている。これにより、万が一、カッター刃１０が位置ずれを起こして支持機構２０に支持されていても、接着シートＡＳを所定形状に切断することができるようになっている。
【００２０】
その後、使用者または多関節ロボットやベルトコンベア等の図示しない搬送機構によって、一体物ＷＫ１が支持面７１Ａ上に載置されると、被加工物支持機構７０が図示しない減圧機構を駆動し、当該一体物ＷＫ１の吸着保持を開始する。次に、駆動機構３０が多関節ロボット３１を駆動し、カッター刃検知機構８０の検出結果を基にして切先１０Ａを接着シートＡＳに突き刺し、当該切先１０Ａを溝７１Ｂ内に位置させた後、支持機構２０を所定の軌道に沿って移動させ、刃先１０Ｂで接着シートＡＳを所定形状に切断する。これにより、接着シートＡＳは、当該接着シートＡＳを貫通する切込が連続的に形成されて完全に切断され、当該切断が完了すると、駆動機構３０が多関節ロボット３１を駆動し、再びスタンバイ状態となる。そして、被加工物支持機構７０が図示しない減圧機構の駆動を停止した後、使用者または図示しない搬送機構が所定形状に切断された接着シートＡＳが貼付された被着体ＷＫを別の工程に搬送するとともに、支持面７１Ａ上に残った接着シートＡＳ部分を支持面７１Ａ上から取り去り、以降上記同様の動作が繰り返される。
【００２１】
ここで、スタンバイ状態となった際、支持機構２０で支持されているカッター刃１０に変形や劣化または異物の付着等が発生していることをカッター刃検知機構８０が検出すると、切断装置ＥＡは、カッター刃１０を交換する動作を行う。この動作は、先ず、駆動機構３０が多関節ロボット３１を駆動し、先端アーム３１Ａで支持している支持機構２０を移動させ、図２（Ａ）に示すように、調整部材２５を取外し嵌合孔４３に差し込んで当該調整部材２５が回転することを抑制する。このとき、駆動機構３０は、張出部２５Ｃを本体フレーム４１の上面に当接させてもよいし、当接させなくてもよい。次いで、駆動機構３０が多関節ロボット３１を駆動し、把持部材２４によるカッター刃１０の把持力が緩む方向に調整部材２５を把持部材２４に対して相対的に回転させると、調整部材２５の内円端部２５Ｂが傾斜部２４Ｂを摺動し、把持部材２４が弾性変形部２４Ａの弾性復元によって相互に離間し、カッター刃１０が回収箱６１内に落下して回収される。この際、カッター刃１０は、縦姿勢で落下を開始するが、その後、図２（Ｂ）に示すように、姿勢変位ローラ６２に接触して落下姿勢が変位し、先に回収されているカッター刃１０群の隙間に突き刺さり難くなり、横倒し姿勢となって回収箱６１内に回収される。その後、駆動機構３０が多関節ロボット３１を駆動し、図２（Ｃ）に示すように、調整部材２５を取付け嵌合孔４２に所定深さに達するまで差し込んで調整部材２５が回転することを抑制すると、供給機構５０にセットされているカッター刃１０が相互に離間した把持部材２４間に位置するようになる。このとき、駆動機構３０は、張出部２５Ｃを本体フレーム４１の上面に当接させてもよいし、当接させなくてもよい。なお、駆動機構３０は、供給機構５０の図示しない切先検知機構の検知結果を基にして、カッター刃１０が位置決めされて、所定の姿勢でセットされている刃支持部材５３から当該カッター刃１０を支持するようになっている。
【００２２】
次に、駆動機構３０が多関節ロボット３１を駆動し、把持部材２４がカッター刃１０を把持する方向に調整部材２５を把持部材２４に対して相対的に回転させると、調整部材２５の内円端部２５Ｂが傾斜部２４Ｂを摺動し、把持部材２４が相互に接近して、図２（Ｄ）に示すように、把持部材２４でカッター刃１０を把持する。そして、調整部材２５が所定のトルクで把持部材２４を締めつけたことを多関節ロボット３１に設けられた図示しないトルクセンサが検知すると、駆動機構３０が多関節ロボット３１の駆動を停止する。これにより、カッター刃１０が溝２４Ｄに嵌り込んで支持機構２０に位置決めされて支持される。なお、調整部材２５を把持部材２４に対して相対的に回転させると、刃支持部材５３は、付勢機構５２の付勢力に抗してカッター刃１０と共に回転するので、供給機構５０は、カッター刃１０に過剰な負荷を加えることなく、当該カッター刃１０を支持機構２０へ受け渡すことができる。次いで、把持部材２４でカッター刃１０を把持すると、駆動機構３０が多関節ロボット３１を駆動し、再びスタンバイ状態となる。なお、カッター刃１０がカッター刃支持穴５３Ｂから抜け出ると、刃支持部材５３は、付勢機構５２の付勢力によって回転し、当板５４がストッパ５５に当接して係止する。
【００２３】
その後、供給フレーム５１にセットされた２体目のカッター刃１０も支持機構２０で支持され、移動規制機構４０の外部に搬送されたことをカメラや投影機等の撮像機構や、光学センサや超音波センサ等の各種センサ等で構成された図示しないカッター刃検知機構が検知するか、全ての図示しない切先検知機構がカッター刃１０の切先１０Ａを検出しなくなると、切断装置ＥＡは、例えば、光や音等のカッター刃供給要請を出力する図示しないカッター刃供給要請機構を駆動し、使用者にカッター刃１０の供給を促すことができる。使用者は、カッター刃供給要請を確認すると、取手５１Ａを持って供給フレーム５１を本体フレーム４１から引き出し、２体のカッター刃１０をそれぞれ各カッター刃支持穴５３Ｂにセットした後、当該供給フレーム５１を第１開口部４１Ａから突き当る位置にまで差し込んでおく。
また、回収箱６１内に回収されたカッター刃１０が所定量に達したことをカメラや投影機等の撮像機構や、光学センサや超音波センサ等の各種センサ等で構成された図示しない回収カッター刃検知機構が検知すると、切断装置ＥＡは、例えば、光や音等のカッター刃廃棄要請を出力する図示しないカッター刃廃棄要請機構を駆動し、使用者にカッター刃１０の廃棄を促すことができる。この際、カッター刃１０が横倒し姿勢となって回収箱６１内に回収されるので、回収箱６１に回収容量が残っているにも拘わらず、図示しない回収カッター刃検知機構が満杯になったと誤認識することはない。使用者は、カッター刃廃棄要請を確認すると、取手６１Ａを持って回収箱６１を本体フレーム４１から引き出し、使用済みのカッター刃１０を廃棄した後、当該回収箱６１を第２開口部４１Ｂから差し込んでおく。この際、カッター刃１０が横倒し姿勢となって回収箱６１内に回収されるので、横倒しにならなかったカッター刃１０が本体フレーム４１に引っ掛かり、回収箱６１を本体フレーム４１から引き出せなくなることはない。
【００２４】
以上のような実施形態によれば、落下するカッター刃１０の姿勢を変位させるので、カッター刃１０が縦姿勢で落下するような場合があっても、当該カッター刃１０を積極的に横倒し姿勢にして回収機構６０で回収することができ、カッター刃１０を効率よく回収することができる。
【００２５】
本考案における機構および工程は、それら機構および工程について説明した動作、機能または工程を果たすことができる限りなんら限定されることはなく、まして、前記実施形態で示した単なる一実施形態の構成物や工程に全く限定されることはない。例えば、切断機構は、被加工物を切断可能なものであれば、どんなものでもよく、出願当初の技術常識に照らし合わせてその技術範囲内のものであればなんら限定されることはない（他の機構および工程も同じ）。
【００２６】
切断機構は、カッター刃１０に代えてまたは併用して、ロータリカッター刃を採用してもよく、例えば、ミシン目ロータリカッター刃で接着シートＡＳを貫通または貫通することのない切込が断続的に続くように当該接着シートＡＳを疑似的に切断するものでもよい。
【００２７】
支持機構２０は、上記の実施形態のように、先端アーム３１Ａの中心に対して把持部材２４の中心がずれるように当該把持部材２４を支持するブラケット２２を採用してもよいし、先端アーム３１Ａの中心と把持部材２４の中心とが同位置となるように当該把持部材２４を支持するブラケット２２を採用してもよいし、ブラケット２２を介することなく、嵌合部材２１で直接基台２３を支持してもよいし、所定動作として把持部材２４に対して相対的に直線移動させることで、当該把持部材２４のカッター刃１０に対する離間接近を可能とし、カッター刃１０の取付けおよび取外しの少なくとも一方が可能な調整部材を採用してもよい。なお、所定動作が直線移動の場合、例えば、前記実施形態における基台２３に雄ねじ２３Ａを設けずに円柱状部材とし、雌ねじ２５Ａ設けずに円柱状部材の軸線方向に摺動する内円が設けられた調整部材としての円筒状部材を採用すればよい。
【００２８】
駆動機構３０は、支持機構２０へカッター刃１０を取付ける動作および、支持機構２０からカッター刃１０を取外す動作のうち一方の動作のみを行うようにしてもよく、この場合、それら動作のうち他方の動作は、使用者が行ったり、他の装置や他の駆動機器が行ったりすればよい。
【００２９】
移動規制機構４０は、調整部材２５を挟み込む駆動機器を備えていてもよいし、他の装置や他の部材で調整部材２５の回転を抑制する場合、本考案の切断装置ＥＡに備わっていなくてもよい。
【００３０】
供給機構５０は、カッター刃１０を１個ずつまたは、３個以上ずつ供給する構成でもよいし、本体フレーム４１に対してスライドレールで支持された供給フレーム５１を採用してもよいし、ばねやゴム等の弾性部材や駆動機器等で構成された付勢機構５２を採用してもよいし、移動規制機構４０と一体的に形成されてもよいし、刃支持部材５３全体が移動することなく、その一部または全部が弾性変形することで、支持機構２０へカッター刃１０を取付ける動作に追従させて当該カッター刃１０を移動させてもよいし、他の装置や他の部材で切断機構を供給する場合、本考案の切断装置ＥＡに備わっていなくてもよい。
【００３１】
回収機構６０は、本体フレーム４１に対してスライドレールで支持された回収箱６１を採用してもよいし、移動規制機構４０と一体的に形成されてもよい。
姿勢変位機構は、駆動機器で姿勢変位ローラ６２を回転させ、カッター刃１０をさらに積極的に横倒し姿勢になり易くしてもよいし、駆動機器で姿勢変位ローラ６２を所定の回転方向に回転させ、カッター刃１０の横倒し姿勢の向きを揃えるようにしてもよいし、図３（Ａ）に示すような傾斜面６３Ａを有する断面視三角形の当接部材６３や、断面視四角形や五角形等の当接部材を採用してもよいし、図３（Ｂ）に示すように、ノズル６４を介して加圧ポンプやタービン等の気体供給機構６５から気体を吹き付け、落下するカッター刃１０の姿勢を変位させてもよいし、図３（Ｃ）に示すように、駆動機器６６の出力軸６６Ａで落下するカッター刃１０の姿勢を変位させてもよいし、姿勢変位ローラ６２の延設方向をカッター刃１０の厚み方向としたり、その他の方向としたりしてもよいし、姿勢変位ローラ６２が回収箱６１に支持されていてもよい。
【００３２】
被加工物支持機構７０は、被着体ＷＫが上側となるように一体物ＷＫ１が載置されてもよいし、接着シートＡＳが上側となるように一体物ＷＫ１が載置されてもよいし、被着体ＷＫのある位置のみを吸着保持してもよいし、被着体ＷＫのない位置のみを吸着保持してもよいし、それら両方の位置を吸着保持してもよいし、接着シートＡＳに被着体ＷＫが接着されていなくてもよいし、他の装置や他の部材で接着シートＡＳを支持する場合、本考案の切断装置ＥＡに備わっていなくてもよい。
【００３３】
カッター刃検知機構８０は、カッター刃１０の切先１０Ａの位置および刃先１０Ｂの位置の何れか一方のみを検知する構成でもよいし、カッター刃１０の変形、劣化および異物の付着のうち少なくとも１つを検知する構成でもよいし、本考案の切断装置ＥＡに備わっていなくてもよい。
【００３４】
切断装置ＥＡは、天地反転して配置したり横向きに配置したりして、接着シートＡＳを切断してもよいし、被着体ＷＫの外縁と同形状となるように接着シートＡＳを切断してもよいし、被着体ＷＫの外縁よりも内側で接着シートＡＳを切断してもよいし、被着体ＷＫの外縁よりも外側で接着シートＡＳを切断してもよいし、被着体ＷＫの外縁とは関係なく接着シートＡＳを切断してもよいし、所定時間が経過した時点でカッター刃１０の交換を行ってもよいし、所定枚数の接着シートＡＳを切断した時点でカッター刃１０の交換を行ってもよいし、所定の長さ以上の切込を形成した時点でカッター刃１０の交換を行ってもよい。
所定の格納位置に格納されている支持機構２０は、カッター刃１０が取り付けられていなくてもよく、この場合、駆動機構３０が多関節ロボット３１を駆動し、支持機構２０を先端アーム３１Ａで保持した後、前記実施形態と同様の動作で先に支持機構２０でカッター刃１０を支持してから、スタンバイ状態となるようにすればよい。
カッター刃供給要請機構が出力するカッター刃供給要請と、カッター刃廃棄要請機構が出力するカッター刃廃棄要請とは、同じでもよいし、異なっていてもよいし、カッター刃供給要請機構およびカッター刃廃棄要請機構のうち少なくとも一方がなくてもよい。
【００３５】
本考案における被着体ＷＫ、接着シートＡＳおよび被加工物の材質、種別、形状等は、特に限定されることはない。例えば、被着体ＷＫ、接着シートＡＳおよび被加工物は、円形、楕円形、三角形や四角形等の多角形、その他の形状であってもよいし、接着シートＡＳは、感圧接着性、感熱接着性等の接着形態のものであってもよく、感熱接着性のものが採用された場合は、該当するシートを加熱する適宜なコイルヒータやヒートパイプの加熱側等の加熱機構を設けるといった適宜な方法で接着されればよい。また、このような接着シートＡＳは、例えば、接着剤層だけの単層のもの、基材と接着剤層との間に中間層を有するもの、基材の上面にカバー層を有する等３層以上のもの、さらには、基材を接着剤層から剥離することのできる所謂両面接着シートのようなものであってもよく、両面接着シートは、単層又は複層の中間層を有するものや、中間層のない単層又は複層のものであってよい。また、被着体ＷＫ、被加工物としては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂等の単体物であってもよいし、それら２つ以上で形成された複合物であってもよく、任意の形態の部材や物品なども対象とすることができる。なお、接着シートＡＳは、機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意のシート、フィルム、テープ等でもよい。
【００３６】
前記実施形態における駆動機器は、回動モータ、直動モータ、リニアモータ、単軸ロボット、２軸または３軸以上の関節を備えた多関節ロボット等の電動機器、エアシリンダ、油圧シリンダ、ロッドレスシリンダおよびロータリシリンダ等のアクチュエータ等を採用することができる上、それらを直接的又は間接的に組み合せたものを採用することもできる。
前記実施形態において、ローラ等の回転部材が採用されている場合、当該回転部材を回転駆動させる駆動機器を備えてもよいし、回転部材の表面や回転部材自体をゴムや樹脂等の変形可能な部材で構成してもよいし、回転部材の表面や回転部材自体を変形しない部材で構成してもよいし、ローラの代わりに回転するまたは回転しないシャフトやブレード等の他の部材を採用してもよいし、支持（保持）機構や支持（保持）部材等の被支持部材（被保持部材）を支持（保持）するものが採用されている場合、メカチャックやチャックシリンダ等の把持機構、クーロン力、接着剤（接着シート、接着テープ）、粘着剤（粘着シート、粘着テープ）、磁力、ベルヌーイ吸着、吸引吸着、駆動機器等で被支持部材を支持（保持）する構成を採用してもよい。
【符号の説明】
【００３７】
ＥＡ…切断装置
１０…カッター刃（切断機構）
２０…支持機構
３０…駆動機構
６０…回収機構
６２…姿勢変位ローラ（姿勢変位機構）
ＡＳ…接着シート（被加工物）
【図１】
0003231918.tif 000003
【図２】
0003231918.tif 000004
【図３】
0003231918.tif 000005